(57)【要約】【課題】左手又は右手のどちらで使用されているかの検出と、横向き又は縦向きのどちらで使用されているかの検出を、２つの検出センサにより行うことができ、左手／右手のどちらでも使用できるとともに縦向き／横向きのどちらでも使用することができる携帯端末機器を提供する。【解決手段】携帯端末機器１００において、機器本体部１に備えられた第１検出センサ４及び第２検出センサ５は、操作者の手が触れたことを検出し、判定手段は、第１検出センサ４及び第２検出センサ５による検出結果に基づいて、携帯端末機器１００が縦向き又は横向きのどちらで使用されているかを判定するとともに、さらに、縦向き又は横向きのどちらかで使用されていると判定した場合に携帯端末機器１００の左右方向を判定し、表示制御手段は、判定手段により判定された向きに合わせて表示パネルに画像を表示する。【選択図】図１
2008180857.tif 000002
【特許請求の範囲】
【請求項１】
画像を表示する表示パネルを略長方形に形成された機器本体部に備える携帯端末機器において、
前記表示パネルと、所定の操作を行うための操作部とが前記機器本体部の長辺方向に並んで設けられ、
前記機器本体部における前記操作部側の２つの角部に各々配置されるとともに、それぞれが発光素子及び受光素子を備えて成り、前記発光素子により発光された光の反射光が前記受光素子により受光された場合に、操作者の手が触れたことを検出する第１検出センサ及び第２検出センサと、
前記第１検出センサ及び前記第２検出センサの両方により操作者の手が触れたことが検出された場合に、前記携帯端末機器が縦向きで使用されていると判定するとともに、前記第１検出センサ又は前記第２検出センサの何れか一方のみにより操作者の手が触れたことが検出された場合に、前記携帯端末機器が横向きで使用されていると判定し、さらに、横向きで使用されていると判定された場合に、前記携帯端末機器の左右方向を判定する判定手段と、
前記判定手段により判定された向きに合わせて、前記表示パネルに画像を表示させる表示制御手段と、を備えることを特徴とする携帯端末機器。
【請求項２】
画像を表示する表示パネルを機器本体部に備える携帯端末機器において、
前記機器本体部に備えられ、操作者の手が触れたことを検出する第１検出センサ及び第２検出センサと、
前記第１検出センサ及び前記第２検出センサによる検出結果に基づいて、前記携帯端末機器が縦向き又は横向きのどちらで使用されているかを判定するとともに、縦向き又は横向きのどちらかで使用されていると判定された場合に、さらに、前記携帯端末機器の左右方向を判定する判定手段と、
前記判定手段により判定された向きに合わせて、前記表示パネルに画像を表示させる表示制御手段と、
を備えることを特徴とする携帯端末機器。
【請求項３】
前記判定手段は、前記第１検出センサ及び前記第２検出センサの両方により操作者の手が触れたことが検出された場合に、前記携帯端末機器が縦向きで使用されていると判定するとともに、前記第１検出センサ又は前記第２検出センサの何れか一方のみにより操作者の手が触れたことが検出された場合に、前記携帯端末機器が横向きで使用されていると判定することを特徴とする請求項２に記載の携帯端末機器。
【請求項４】
前記判定手段は、前記第１検出センサ及び前記第２検出センサの両方により操作者の手が触れたことが検出された場合に、前記携帯端末機器が横向きで使用されていると判定するとともに、前記第１検出センサ又は前記第２検出センサの何れか一方のみにより操作者の手が触れたことが検出された場合に、前記携帯端末機器が縦向きで使用されていると判定することを特徴とする請求項２に記載の携帯端末機器。
【請求項５】
前記第１検出センサ及び前記第２検出センサのそれぞれは、発光素子及び受光素子を備えて成り、
前記第１検出センサ又は前記第２検出センサは、前記発光素子により発光された光の反射光が前記受光素子により受光された場合に、操作者の手が当該第１検出センサ又は第２検出センサに触れたことを検出することを特徴とする請求項２〜４の何れか一項に記載の携帯端末機器。
【発明の詳細な説明】
【技術分野】
【０００１】
本発明は、携帯端末機器に関する。
【背景技術】
【０００２】
従来から、左手、右手のどちらでも操作可能な携帯端末機器が知られている。
例えば、特許文献１には、利き手判定スイッチにより判定した操作者の利き手に合わせて、表示部の表示方向と入力部の座標座標を設定する携帯端末装置が開示されている。
また、例えば、特許文献２には、操作スイッチを左右或いは左右の側面に対称、及び上下或いは上下の側面に配置することにより片手で容易に操作できるようにするとともに、対称に配置した操作スイッチの最初に操作した側を個別に有効と設定し、他方を無効と設定することにより、左手／右手のいずれで使っても同様の操作感覚を得ることができる情報装置が開示されている。
【特許文献１】特開２０００−３２２３８６号公報
【特許文献２】特開平１１−２２４１５５号公報
【発明の開示】
【発明が解決しようとする課題】
【０００３】
しかしながら、上記特許文献１及び特許文献２を始めとする左手・右手兼用の携帯端末機器において、左手又は右手のどちらで使用されているかを検出する２つのセンサを用いて、さらに、携帯端末機器が横向き又は縦向きのどちらで使用されているかの検出が可能なものは無かった。
【０００４】
本発明の課題は、左手又は右手のどちらで使用されているかの検出と、横向き又は縦向きのどちらで使用されているかの検出を、２つの検出センサにより行うことにより、左手／右手のどちらでも使用できるとともに縦向き／横向きのどちらでも使用することができる携帯端末機器を低コストで提供することである。
【課題を解決するための手段】
【０００５】
上記課題を解決するため、請求項１に記載の発明は、画像を表示する表示パネルを略長方形に形成された機器本体部に備える携帯端末機器において、
前記表示パネルと、所定の操作を行うための操作部とが前記機器本体部の長辺方向に並んで設けられ、
前記機器本体部における前記操作部側の２つの角部に各々配置されるとともに、それぞれが発光素子及び受光素子を備えて成り、前記発光素子により発光された光の反射光が前記受光素子により受光された場合に、操作者の手が触れたことを検出する第１検出センサ及び第２検出センサと、
前記第１検出センサ及び前記第２検出センサの両方により操作者の手が触れたことが検出された場合に、前記携帯端末機器が縦向きで使用されていると判定するとともに、前記第１検出センサ又は前記第２検出センサの何れか一方のみにより操作者の手が触れたことが検出された場合に、前記携帯端末機器が横向きで使用されていると判定し、さらに、横向きで使用されていると判定された場合に、前記携帯端末機器の左右方向を判定する判定手段と、
前記判定手段により判定された向きに合わせて、前記表示パネルに画像を表示させる表示制御手段と、を備えることを特徴とする。
【０００６】
請求項２に記載の発明は、画像を表示する表示パネルを機器本体部に備える携帯端末機器において、
前記機器本体部に備えられ、操作者の手が触れたことを検出する第１検出センサ及び第２検出センサと、
前記第１検出センサ及び前記第２検出センサによる検出結果に基づいて、前記携帯端末機器が縦向き又は横向きのどちらで使用されているかを判定するとともに、縦向き又は横向きのどちらかで使用されていると判定された場合に、さらに、前記携帯端末機器の左右方向を判定する判定手段と、
前記判定手段により判定された向きに合わせて、前記表示パネルに画像を表示させる表示制御手段と、
を備えることを特徴とする。
【０００７】
請求項３に記載の発明は、請求項２に記載の携帯端末機器において、前記判定手段は、前記第１検出センサ及び前記第２検出センサの両方により操作者の手が触れたことが検出された場合に、前記携帯端末機器が縦向きで使用されていると判定するとともに、前記第１検出センサ又は前記第２検出センサの何れか一方のみにより操作者の手が触れたことが検出された場合に、前記携帯端末機器が横向きで使用されていると判定することを特徴とする。
【０００８】
請求項４に記載の発明は、請求項２に記載の携帯端末機器において、前記判定手段は、前記第１検出センサ及び前記第２検出センサの両方により操作者の手が触れたことが検出された場合に、前記携帯端末機器が横向きで使用されていると判定するとともに、前記第１検出センサ又は前記第２検出センサの何れか一方のみにより操作者の手が触れたことが検出された場合に、前記携帯端末機器が縦向きで使用されていると判定することを特徴とする。
【０００９】
請求項５に記載の発明は、請求項２〜４の何れか一項に記載の携帯端末機器において、前記第１検出センサ及び前記第２検出センサのそれぞれは、発光素子及び受光素子を備えて成り、
前記第１検出センサ又は前記第２検出センサは、前記発光素子により発光された光の反射光が前記受光素子により受光された場合に、操作者の手が当該第１検出センサ又は第２検出センサに触れたことを検出することを特徴とする。
【発明の効果】
【００１０】
請求項１に記載の発明によれば、携帯端末機器において、表示パネルと、所定の操作を行うための操作部とが略長方形に形成された機器本体部の長辺方向に並んで設けられ、機器本体部における操作部側の２つの角部に各々配置されるとともに、それぞれが発光素子及び受光素子が備えられて成る第１検出センサ及び第２検出センサにより、発光素子により発光された光の反射光が受光素子により受光された場合に、操作者の手が触れたことが検出され、判定手段により、第１検出センサ及び第２検出センサの両方により操作者の手が触れたことが検出された場合に、携帯端末機器が縦向きで使用されていると判定されるとともに、第１検出センサ又は第２検出センサの何れか一方のみにより操作者の手が触れたことが検出された場合に、携帯端末機器が横向きで使用されていると判定され、さらに、横向きで使用されていると判定された場合に、携帯端末機器の左右方向が判定され、表示制御手段により、判定手段により判定された向きに合わせて、表示パネルに画像が表示される。
したがって、第１検出センサ及び第２検出センサによる操作者の手が触れたことの検出に基づいて、縦横方向と左右方向が特定されることとなって、左手又は右手のどちらで使用されているかの検出と、横向き又は縦向きのどちらで使用されているかの検出を、２つの検出センサにより行うことができ、左手／右手のどちらでも使用できるとともに縦向き／横向きのどちらでも使用することができる携帯端末機器を低コストで提供することができる。また、第１検出センサ及び第２検出センサは、発光素子及び受光素子を備えて成るため、操作者の手が触れたことの検出が確実に行われることとなるとともに、暗所でも検出が可能となる。
【００１１】
請求項２に記載の発明によれば、携帯端末機器において、画像を表示する表示パネルを機器本体部に備え、機器本体部に備えられた第１検出センサ及び第２検出センサにより、操作者の手が触れたことが検出され、判定手段により、第１検出センサ及び第２検出センサによる検出結果に基づいて、携帯端末機器が縦向き又は横向きのどちらで使用されているかが判定されるとともに、縦向き又は横向きのどちらかで使用されていると判定された場合に、さらに、携帯端末機器の左右方向が判定され、表示制御手段により、判定手段により判定された向きに合わせて、表示パネルに画像が表示される。
したがって、第１検出センサ及び第２検出センサによる操作者の手が触れたことの検出に基づいて、縦横方向と左右方向が特定されることとなって、左手又は右手のどちらで使用されているかの検出と、横向き又は縦向きのどちらで使用されているかの検出を、２つの検出センサにより行うことができ、左手／右手のどちらでも使用できるとともに縦向き／横向きのどちらでも使用することができる携帯端末機器を低コストで提供することができる。
【００１２】
請求項３に記載の発明によれば、請求項２に記載の発明の効果が得られるのは無論のこと、判定手段により、第１検出センサ及び第２検出センサの両方により操作者の手が触れたことが検出された場合に、携帯端末機器が縦向きで使用されていると判定されるとともに、第１検出センサ又は第２検出センサの何れか一方のみにより操作者の手が触れたことが検出された場合に、携帯端末機器が横向きで使用されていると判定される。
したがって、第１検出センサと、第２検出センサの両方又は何れか一方による操作者の手が触れたことの検出に応じて、横向き／縦向きが判定されることとなり、左手／右手のどちらでも使用できるとともに縦向き／横向きのどちらでも使用することができる携帯端末機器を、簡易な構成で提供することができる。
【００１３】
請求項４に記載の発明によれば、請求項２に記載の発明の効果が得られるのは無論のこと、判定手段により、第１検出センサ及び第２検出センサの両方により操作者の手が触れたことが検出された場合に、携帯端末機器が横向きで使用されていると判定されるとともに、第１検出センサ又は第２検出センサの何れか一方のみにより操作者の手が触れたことが検出された場合に、携帯端末機器が縦向きで使用されていると判定される。
したがって、第１検出センサと、第２検出センサの両方又は何れか一方による操作者の手が触れたことの検出に応じて、横向き／縦向きが判定されることとなり、左手／右手のどちらでも使用できるとともに縦向き／横向きのどちらでも使用することができる携帯端末機器を、簡易な構成で提供することができる。
【００１４】
請求項５に記載の発明によれば、請求項２〜４の何れか一項に記載の発明の効果が得られるのは無論のこと、第１検出センサ及び第２検出センサのそれぞれは、発光素子及び受光素子を備えて成り、発光素子により発光された光の反射光が受光素子により受光された場合に、操作者の手が当該第１検出センサ又は第２検出センサに触れたことが検出される。
したがって、第１検出センサ及び第２検出センサによる操作者の手が触れたことの検出が確実に行われることとなるとともに、暗所でも検出が可能となる。
【発明を実施するための最良の形態】
【００１５】
以下、本発明の実施の形態を、図面を参照しながら詳細に説明する。
図１は、本実施形態における携帯端末機器１００の斜視図である。また、図２は、本実施形態における携帯端末機器１００の要部構成を例示するブロック図である。
【００１６】
本実施形態における携帯端末機器１００は、例えば、ゲーム装置であり、例えば、図１に示すように、略長方形に形成される機器本体部１を備えている。
機器本体部１の長辺方向にはゲームの画像を表示する表示パネル２と、ユーザがゲームをプレーする操作を行うための操作部３とが並んで設けられており、さらに、操作部３側の２つの角部には、それぞれ第１検出センサ４及び第２検出センサ５が設けられている。また、機器本体部１の内部には制御部６が備わり、当該制御部６によりこの携帯端末機器１００の動作全般が制御される。
【００１７】
表示パネル２は、例えば、液晶ディスプレイ、ＥＬ（Electro Luminescence）ディスプレイ、ＬＥＤ（Light Emitting Diode）ディスプレイ等である。
【００１８】
操作部３は、例えば、上下左右対称に配置された複数の操作キーＳＷ１〜ＳＷ５を備えて構成される。操作キーは、例えば、表示パネル２の画像における上下左右方向の移動を指示するための十字キーＳＷ１〜ＳＷ４や、十字キーの中央に設けられた電源キーＳＷ５等であり、ユーザにより押下操作が行われると、押下された操作キーに対応する入力操作信号が制御部６に出力されるようになっている。
【００１９】
第１検出センサ４及び第２検出センサ５は、操作者の手が検出センサ４、５の位置に配置される等して、操作者の手が触れたことを検出する。
第１検出センサ４及び第２検出センサ５のそれぞれは、例えば、赤外線等の光を発光する発光素子４１、５１と、発光素子４１、５１により発光された光の反射光を検出する受光素子４２、５２と、が対向されて配置される反射型の光検出センサである。発光素子４１、５１としてはＬＥＤ等が用いられ、また、受光素子４２、５２にはフォトダイオード、フォトトランジスタ、ＣｄＳ等が適用される。そして、操作者の手がこれらの検出センサの上方を塞いでいる場合にのみ、発光素子４１、５１から照射された光が操作者の手で反射され、受光素子４２、５２により受光されるように構成されている。
【００２０】
受光素子４２、５２により受光された光は、図示しない光電変換回路において電気信号に変換され、所定の閾値以上の光が検出された場合に、受光素子４２、５２から光電変換回路を介して所定の検出信号が制御部６に出力されることとなる。
具体的には、例えば、受光素子４２、５２において所定の閾値以上の光が検出されない場合には「Ｌ（Low）」レベルの信号が制御部６に出力され、所定の閾値以上の光が検出された場合には「Ｈ（High）」レベルの検出信号が制御部６に出力されるようになっている。
【００２１】
制御部６は、ＣＰＵ（Central Processing Unit）６１、メモリ部６２、ＲＯＭ（Read Only Memory）６３等を備えて構成されている。
【００２２】
ＣＰＵ６１は、機器本体部１の各部から入力された入力信号や、操作部３における各種キーの押下操作によって入力された入力操作信号等に応じて、ＲＯＭ６３に格納された各種プログラムを実行するとともに、実行にかかるプログラムに基づいて機器本体部１の各部に出力信号を出力することにより、携帯端末機器１００の動作全般を統括制御する。
【００２３】
メモリ部６２は、例えば、ＲＡＭ（Random Access Memory）等の揮発性メモリからなるワークエリア６２１を備えており、ＣＰＵ６１によって各種プログラムが実行される際に生じる処理結果や、入力されたデータ等をこのワークエリア６２１に記憶させる。
【００２４】
また、メモリ部６２は、ＥＰＲＯＭ（Erasable Programmable ROM）等の不揮発性メモリからなるデータエリア６２２を備えている。データエリア６２２は、例えば、操作設定テーブル６２２ａを記憶している。
操作設定テーブル６２２ａは、携帯端末機器１００が、後述する縦モード／横（右手）モード／横（左手）モードのうちの何れかのモードで使用されている場合における、各モードに対応付けられた各操作キーＳＷ１〜５の操作内容を記憶する。この操作設定テーブル６２２ａについては、後述する操作キー設定プログラム６３ｃの説明において詳細に説明する。
【００２５】
ＲＯＭ６３は、例えば、不揮発性メモリからなるプログラム格納エリアを有しており、具体的には、判定プログラム６３ａ、表示制御プログラム６３ｂ、操作キー設定プログラム６３ｃ等を格納している。
【００２６】
判定プログラム６３ａは、例えば、ＣＰＵ６１に、第１検出センサ４及び第２検出センサ５の両方により操作者の手が触れたことが検出された場合に、携帯端末機器１００が縦向きで使用されていると判定するとともに、第１検出センサ４又は第２検出センサ５の何れか一方のみにより操作者の手が触れたことが検出された場合に、携帯端末機器１００が横向きで使用されていると判定し、さらに、横向きで使用されていると判定された場合に、携帯端末機器１００の左右方向を判定する機能を実現させるためのプログラムである。
具体的には、ＣＰＵ６１は、第１検出センサ４及び第２検出センサ５のそれぞれから出力される信号を監視している。そして、第１検出センサ４と、第２検出センサ５の両方から、操作者の手が触れたことを示す「Ｈ」レベルの検出信号が、同時に所定時間（例えば、３秒間）以上にわたって検出された場合には、ＣＰＵ６１は、携帯端末機器１００が縦向きで使用されていると判定し、縦モードを設定する。
一方、ＣＰＵ６１は、第１検出センサ４及び第２検出センサ５の何れか一方から、操作者の手が触れたことを示す「Ｈ」レベルの検出信号が所定時間（例えば、３秒間）以上にわたって検出された場合には、携帯端末機器１００が横向きで使用されていると判定する。
【００２７】
ＣＰＵ６１は、携帯端末機器１００が横向きで使用されていると判定した場合、さらに、縦向き／横向きを判定した際の検出信号が第１検出センサ４と第２検出センサ５の何れから出力されたかによって、携帯端末機器１００の左右方向を判定する。すなわち、例えば、ＣＰＵ６１は、検出信号が第１検出センサ４から出力された場合には、機器本体部１において第１検出センサ４及び第２検出センサ５が設けられた角部側は右方向であると判定し、携帯端末機器１００は右手で使用されているとして横（右手）モードを設定するとともに、検出信号が第２検出センサ５から出力された場合には、機器本体部１において第１検出センサ４及び第２検出センサ５が設けられた角部側は左方向であると判定し、携帯端末機器１００は左手で使用されているとして横（左手）モードを設定する。
なお、ＣＰＵ６１は、何れの検出センサからも検出信号が出力されない間は、既に設定されているモードをそのまま保持する。
ＣＰＵ６１は、かかる判定プログラム６３ａを実行することにより、判定手段として機能する。
【００２８】
表示制御プログラム６３ｂは、例えば、ＣＰＵ６１に、判定プログラム６３ａの実行により判定された向きに合わせて表示パネル２に画像を表示させる機能を実現させる機能を実現させるためのプログラムである。
具体的には、ＣＰＵ６１は、判定プログラム６３ａの実行において、携帯端末機器１００が使用されている向きが判定され、縦モード／横（右手）モード／横（左手）モードの何れかが設定されると、設定されたモードに合わせて表示パネル２における画像の表示方向を設定する。
ＣＰＵ６１は、かかる表示制御プログラム６３ｂを実行することにより、表示制御手段として機能する。
【００２９】
ここで、当該表示制御プログラム６３ｂの実行における画像の表示方法について、図３を参照しながら説明する。
例えば、判定プログラム６３ａの実行により携帯端末機器１００が縦向きで使用されていると判定され、縦モードが設定された場合に、ＣＰＵ６１は、図３（ａ）に示すように、第１検出センサ４及び第２検出センサ５の両方が下側となる方向に、画像を表示させる。これにより、操作者は、携帯端末機器１００を縦向きで使用することができる。
また、判定プログラム６３ａの実行により携帯端末機器１００が横向きで使用されていると判定され、さらに、機器本体部１において第１検出センサ４及び第２検出センサ５が設けられた角部側が右方向であると判定されて横（右手）モードが設定された場合に、ＣＰＵ６１は、図３（ｂ）に示すように、手が触れたことを検出した第１検出センサ４が下側となって、一方の第２検出センサ５が上側となる方向に、画像を表示させる。これにより、操作者は、携帯端末機器１００を横向き且つ右手で使用することができる。
また、判定プログラム６３ａの実行により携帯端末機器１００が横向きで使用されていると判定され、さらに、機器本体部１において第１検出センサ４及び第２検出センサ５が設けられた角部側が左方向であると判定されて横（左手）モードが設定された場合に、ＣＰＵ６１は、図３（ｃ）に示すように、手が触れたことを検出した第２検出センサ５が下側となって、一方の第１検出センサ４が上側となる方向に、画像を表示させる。これにより、操作者は、携帯端末機器１００を横向き且つ左手で使用することができる。
【００３０】
操作キー設定プログラム６３ｃは、例えば、ＣＰＵ６１に、判定プログラム６３ａの実行により判定された向きに合わせて、操作部３における操作キーＳＷ１〜ＳＷ５の操作内容を設定する機能を実現させるためのプログラムである。
具体的には、ＣＰＵ６１は、判定プログラム６３ａの実行において、携帯端末機器１００が使用されている向きが判定され、縦モード／横（右手）モード／横（左手）モードの何れかを設定すると、操作設定テーブル６２２ａを参照し、設定したモードに合わせて操作部３における各操作キーＳＷ１〜ＳＷ５の操作内容を設定する。
【００３１】
図４は、メモリ部６２のデータエリア６２２に記憶される操作設定テーブル６２２ａを例示する図である。図４に示すように、操作設定テーブル６２２ａでは、操作部３に備わる操作キーＳＷ１〜ＳＷ５のそれぞれに対して、縦モード／横（右手）モード／横（左手）モードの各モードにおける操作内容が割り当てられている。例えば、十字キーを構成する操作キーＳＷ１は、縦モードでは「右方向」の操作を指示する操作キー、横（右手）モードでは「上方向」の操作を指示する操作キー、横（左手）モードでは「下方向」の操作を指示する操作キーとなる。ＣＰＵ６１は、何れかのモードが設定されてユーザのキー操作が行われると、当該操作設定テーブル６２２ａを参照し、設定されたモードにおける操作された操作キーに対応付けられた操作内容の制御を行う。
【００３２】
以上説明した本実施形態における携帯端末機器１００によれば、表示パネル２と、所定の操作を行うための操作部３とが略長方形に形成された機器本体部１の長辺方向に並んで設けられ、機器本体部１における操作部３側の２つの角部に各々配置されるとともに、それぞれが発光素子４１、５１及び受光素子４２、５２が備えられて成る第１検出センサ４及び第２検出センサ５により、発光素子４１、５１により発光された光の反射光が受光素子４２、５２により受光された場合に、操作者の手が触れたことが検出され、ＣＰＵ６１による判定プログラム６３ａの実行により、第１検出センサ４及び第２検出センサ５の両方により操作者の手が触れたことが検出された場合に、携帯端末機器１００が縦向きで使用されていると判定されるとともに、第１検出センサ４又は第２検出センサ５の何れか一方のみにより操作者の手が触れたことが検出された場合に、携帯端末機器１００が横向きで使用されていると判定され、さらに、横向きで使用されていると判定された場合に、携帯端末機器１００の左右方向が判定され、表示制御プログラム６３ｂの実行により、判定プログラム６３ａにより判定された向きに合わせて、表示パネル２に画像が表示される。
したがって、第１検出センサ４及び第２検出センサ５による操作者の手が触れたことの検出に基づいて、縦横方向と左右方向が特定されることとなって、左手又は右手のどちらで使用されているかの検出と、横向き又は縦向きのどちらで使用されているかの検出を、２つの検出センサにより行うことができ、左手／右手のどちらでも使用できるとともに縦向き／横向きのどちらでも使用することができる携帯端末機器１００を低コストで提供することができる。また、第１検出センサ４及び第２検出センサ５は、発光素子４１、５１及び受光素子４２、５２を備えて成るため、操作者の手が触れたことの検出が確実に行われることとなるとともに、暗所でも検出が可能となる。
【００３３】
なお、本発明は上記実施の形態に限られることなく、本発明の趣旨を逸脱しない範囲において種々の改良並びに設計の変更を行っても良い。
例えば、本発明における携帯端末機器１００は、携帯電話機や、ＰＤＡ(Personal Digital Assistant：携帯情報端末)等であっても良い。
また、第１検出センサ４及び第２検出センサ５は、上記実施の形態で例示した反射型の光センサに限られることなく、例えば、機械式のセンサ等であっても良い。
また、操作部３に設けられる操作キーは上記実施形態で例示したものに限られない。
また、例えば、機器本体部１に複数色のＬＥＤを備え、各モードが設定されると、そのモードに応じた色のＬＥＤが発光して設定されたモードを報知しても良い。
【図面の簡単な説明】
【００３４】
【図１】本実施形態における携帯端末機器の斜視図である。
【図２】本実施形態における携帯端末機器の要部構成を例示するブロック図である。
【図３】各モードにおいて携帯端末機器の表示パネルに表示される画像を例示する図である。
【図４】操作設定テーブルを例示する図である。
【符号の説明】
【００３５】
１００      携帯端末機器
１          機器本体部
２          表示パネル
３          操作部
４          第１検出センサ
５          第２検出センサ
４１、５１  発光素子
４２、５２  受光素子
６１        ＣＰＵ（判定手段、表示制御手段）
６３ａ      判定プログラム（判定手段）
６３ｂ      表示制御プログラム（表示制御手段）
【図１】
2008180857.tif 000003
【図２】
2008180857.tif 000004
【図３】
2008180857.tif 000005
【図４】
2008180857.tif 000006